【事件の表示】
　平成　７年特許願第２９４０６１号「病院情報管理システムの情報更新装置」拒絶査定不服審判事件〔平成　９年　５月２０日出願公開、特開平　９−１３４３９３〕について、次のとおり審決する。
【結　論】
　本件審判の請求は、成り立たない。
【理　由】
１．手続の経緯  
　
　本願は、平成７年１１月１３日の出願であって、平成１８年９月２５日付けで拒絶査定がなされ（発送日同年１０月３日）、これに対して、同年１１月２日に拒絶査定不服審判の請求がなされたものである。  
 　  
 　  
 　  
２．本願発明の認定 
　
　本願の請求項１に係る発明は、平成１７年９月１２日付けの手続補正書の記載からみて、特許請求の範囲第１項に記載されたとおりのものと認められるところ、その請求項１に係る発明（以下、「本願発明」という。）は、次のとおりのものである。  
 　  
「　【請求項１】　病院に備えられた病院情報管理システムに組込まれた点数ファイルに記憶された各薬品や各診療行為に係る点数情報およびプログラムファイルに記憶された前記点数情報を用いた患者に対する請求額算出処理を含む業務プログラムの更新を支援する病院情報管理システムの情報更新装置において、
　外部から入力された各薬品や各診療行為における更新点数およびこれに付随する更新業務プログラムを更新情報として記憶保持する更新情報記憶保持手段と、
　この更新情報記憶保持手段に記憶保持された更新情報で、前記病院情報管理システムの点数ファイルに記憶された点数情報およびプログラムファイルに記憶された業務プログラムを前記病院情報管理システム側において自動更新するための自動更新プログラムを記憶する自動更新プログラムメモリと、
　前記更新情報および前記自動更新プログラムを搬送可能な記憶媒体に書込む更新情報書込手段とを有し、
　この更新情報書込手段にて更新情報および自動更新プログラムが書込まれた搬送可能な記憶媒体を前記病院情報管理システムにおける点数情報及び業務プログラムの更新に供することを特徴とする病院情報管理システムの情報更新装置。」  
 
　ただし、特許請求の範囲第１項中の「前記病院情報
処理
管理
　　  
 　  
 　　  
３．引用例  
 　　  
　原査定の拒絶の理由に引用された、特開昭６１−２８１３６２号公報（以下、「引用例１」という。）には、次の事項が記載されている。  
　　  
（ア）  
「（イ）　産業上の利用分野
　本発明は、処理プログラムを固定ディスク装置内部に有する事務用計算機に係り、特に、法令改正等に伴ない、プログラムの変更が必要な同計算機に関する。」 
 　　　　　　　　　　　　　　　　　　（第１頁右欄第１０乃至１４行）
 　 
（イ） 
「（ロ）　従来の技術
「ＳＡＮＹＯ　ＴＥＣＨＮＩＣＡＬ　ＲＥＶＩＥＷ　ＶＯＬ．１１　ＮＯ．１　ＦＥＢ．　１９７９」の第５７頁から第６５頁に開示されているように、一般に、病院等の医療機関で使用される医療事務用計算機は、固定ディスク装置を備え、その内部に、複数の処理プログラムを格納する処理プログラムファイルと、複数月に亙るデータ、通常、２ヶ月分の診療行為データを格納するデータファイルとを有している。」
　　　　　　　　　　　　（第１頁右欄第１５行から第２頁左上欄第３行）
　
（ウ）
「この種の事務用計算機は、健康保険法や国民健康保険法等種々の法令に基づいて事務処理をおこなうものであり、法令改正により診療報酬点数の算定方法や診療報酬明細書の様式が改正される場合には、処理プログラムの変更が必要となる。」
　　　　　　　　　　　　　　　　　　　　（第２頁左上欄第４乃至８行）
　
（エ）
「そこで、従来は、工場側で新しいプログラムを作成し、これを磁気カードに記録し、使用者に届けていた。使用者はその磁気カードを磁気カードリーダに挿入することにより、固定ディスク装置内の旧プログラムを抹消し、その代わりに、磁気カードに記録された新プログラムを固定ディスク装置に登録していた。」 
 　　　　　　　　　　　　　　　　　　（第２頁左上欄第９乃至１５行）
 　  
 　 
　以上の引用例１の記載によれば、引用例には以下の事項が開示されていると認められる。  
 　  
（ａ） 
　引用例の上記（イ）の「・・・、一般に、病院等の医療機関で使用される医療事務用計算機は、固定ディスク装置を備え、その内部に、複数の処理プログラムを格納する処理プログラムファイルと、・・・（中略）・・・とを有している。」という記載、
　
　引用例の上記（ウ）の「・・・、法令改正により診療報酬点数の算定方法や診療報酬明細書の様式が改正される場合には、処理プログラムの変更が必要となる。」という記載、
　 
　引用例の上記（エ）の「そこで、従来は、工場側で新しいプログラムを作成し、これを磁気カードに記録し、使用者に届けていた。使用者はその磁気カードを磁気カードリーダに挿入することにより、固定ディスク装置内の旧プログラムを抹消し、その代わりに、磁気カードに記録された新プログラムを固定ディスク装置に登録していた。」という記載から、
（なお、工場側で新しいプログラムを作成し、これを磁気カードに記録しているのであるから、工場側に「医療事務用計算機」の処理プログラムを更新するための「情報処理装置」が存在することは技術的必然である。） 
　 　 
　引用例には、「病院で使用される医療事務用計算機が備える処理プログラムファイルに格納された、診療報酬点数を用いた処理を含む処理プログラムの更新を支援する、医療事務用計算機の処理プログラムを更新するための情報処理装置」が開示されていると認められる。
　
　
（ｂ）
　上記（ａ）の「病院で使用される医療事務用計算機が備える処理プログラムファイルに格納された、診療報酬点数を用いた処理を含む処理プログラムの更新を支援する、医療事務用計算機の処理プログラムを更新するための情報処理装置」という開示、
　
　引用例の上記（ウ）の「・・・、法令改正により診療報酬点数の算定方法や診療報酬明細書の様式が改正される場合には、処理プログラムの変更が必要となる。」という記載、
（なお、法令改正により診療報酬点数の算定方法が改正されること、及び医療分野における診療報酬点数に関する技術常識を参酌すれば、診療報酬点数も更新対象となり得ることは明らかである。）
　　
　引用例の上記（エ）の「そこで、従来は、工場側で新しいプログラムを作成し、これを磁気カードに記録し、使用者に届けていた。使用者はその磁気カードを磁気カードリーダに挿入することにより、固定ディスク装置内の旧プログラムを抹消し、その代わりに、磁気カードに記録された新プログラムを固定ディスク装置に登録していた。」という記載から、 
（なお、情報処理装置が、一定の処理（例：プログラムを作成する処理）を行う毎に、当該処理によって得られたデータを記憶手段に記憶保持せしめることや、
　情報処理装置が、磁気カードに記録するためには処理手段を備える必要があることは、明らかである。）
　
　引用例には、
「新しい診療報酬点数を用いる新しい処理プログラムを更新情報として作成し記憶保持する記憶保持手段と、
　前記更新情報を使用者に届けるための磁気カードに記録する記録手段とを有し、
　この記録手段にて更新情報が記録された使用者に届けるための磁気カードを前記医療事務用計算機における処理プログラムの更新に供することを特徴とする、医療事務用計算機の処理プログラムを更新するための情報処理装置」 
　が開示されていると認められる。 　 
 　 
　  
　以上の引用例の記載によれば、引用例には下記の発明（以下、「引用例発明」という。）が開示されていると認められる。  
 　  
「病院で使用される医療事務用計算機が備える処理プログラムファイルに格納された、診療報酬点数を用いた処理を含む処理プログラムの更新を支援する、医療事務用計算機の処理プログラムを更新するための情報処理装置において、 
　新しい診療報酬点数を用いる新しい処理プログラムを更新情報として作成し記憶保持する記憶保持手段と、
　前記更新情報を使用者に届けるための磁気カードに記録する記録手段とを有し、
　この記録手段にて更新情報が記録された使用者に届けるための磁気カードを前記医療事務用計算機における処理プログラムの更新に供することを特徴とする、医療事務用計算機の処理プログラムを更新するための情報処理装置。」  
 　 
 　 
 　 
４．対比  
 　 
　本願発明と引用例発明とを対比する。  
 　 
（１）
　引用例発明の「病院で使用される医療事務用計算機」、「処理プログラムファイル」、「処理プログラム」、「医療事務用計算機の処理プログラムを更新するための情報処理装置」、「使用者に届けるための磁気カード」は、それぞれ、
　
　本願発明の「病院に備えられた病院情報管理システム」、「プログラムファイル」、「業務プログラム」、「病院情報管理システムの情報更新装置」、「搬送可能な記憶媒体」に相当する。
　
　
（２）
　病院等の医療機関で用いられる「診療報酬点数」が「各薬品や各診療行為」に係る点数情報であることは、医療分野における技術常識であることを鑑みれば、
　引用例発明の「診療報酬点数」は、本願発明の「各薬品や各診療行為に係る点数情報」に相当する。
　
　
（３） 
　引用例１発明の 「病院で使用される医療事務用計算機が備える処理プログラムファイルに格納された、診療報酬点数を用いた処理を含む処理プログラムの更新を支援する、医療事務用計算機の処理プログラムを更新するための情報処理装置」 と、 
 　  
　本願発明の「病院に備えられた病院情報管理システムに組込まれた点数ファイルに記憶された各薬品や各診療行為に係る点数情報およびプログラムファイルに記憶された前記点数情報を用いた患者に対する請求額算出処理を含む業務プログラムの更新を支援する病院情報管理システムの情報更新装置」とは、 
 　 
「病院に備えられた病院情報管理システムに組込まれたプログラムファイルに記憶された、各薬品や各診療行為に係る点数情報を用いた処理を含む業務プログラムの更新を支援する病院情報管理システムの情報更新装置」という点で一致し、 
 　 
・本願発明の「病院に備えられた病院情報管理システム」が「点数ファイルに記憶された各薬品や各診療行為に係る点数情報」を備えているのに対し、引用例発明の「病院に備えられた病院情報管理システム」が「点数ファイルに記憶された各薬品や各診療行為に係る点数情報」を備えているのか不明である点、
　
・本願発明の「点数情報を用いた処理」が「患者に対する請求額算出処理」を含んでいるのに対し、引用例発明の「点数情報を用いた処理」が「患者に対する請求額算出処理」を含んでいるのか不明である点、
　 
　で相違する。 
 　 
 　 
（４）
　引用例発明の「新しい診療報酬点数を用いる新しい処理プログラムを更新情報として作成し記憶保持する記憶保持手段」と、
　
　本願発明の「外部から入力された各薬品や各診療行為における更新点数およびこれに付随する更新業務プログラムを更新情報として記憶保持する更新情報記憶保持手段」とは、 
　 
　「各薬品や各診療行為における更新点数に付随する更新業務プログラムを更新情報として記憶保持する更新情報記憶保持手段」で一致し、
　
・本願発明の「更新情報」が「各薬品や各診療行為における更新点数」を含むのに対し、引用例発明の「更新情報」が「各薬品や各診療行為における更新点数」を含むのか不明である点、
　
・本願発明では「更新情報」を「外部から入力」しているのに対し、引用例発明では「更新情報」を「外部から入力」しているのか不明である点、
　
　で相違する。
　
 　 
（５） 
　引用例発明の「前記更新情報を使用者に届けるための磁気カードに記録する記録手段」と、
　
　本願発明の
「この更新情報記憶保持手段に記憶保持された更新情報で、前記病院情報管理システムの点数ファイルに記憶された点数情報およびプログラムファイルに記憶された業務プログラムを前記病院情報管理システム側において自動更新するための自動更新プログラムを記憶する自動更新プログラムメモリと、
　前記更新情報および前記自動更新プログラムを搬送可能な記憶媒体に書込む更新情報書込手段」
　とは、
　
「前記更新情報を搬送可能な記憶媒体に書込む更新情報書込手段」を備える点で一致し、
　
・本願発明が「この更新情報記憶保持手段に記憶保持された更新情報で、前記病院情報管理システムの点数ファイルに記憶された点数情報およびプログラムファイルに記憶された業務プログラムを前記病院情報管理システム側において自動更新するための自動更新プログラムを記憶する自動更新プログラムメモリ」を備えるのに対し、引用例発明では、当該「自動更新プログラムメモリ」を備えていない点、 
　
・本願発明の「更新情報書込手段」は「自動更新プログラム」も書込むのに対し、引用例発明の「更新情報書込手段」は「自動更新プログラム」を書込まない点、
　
　で相違する。
　
　
（６）
　引用例発明の「この記録手段にて更新情報が記録された使用者に届けるための磁気カードを前記医療事務用計算機における処理プログラムの更新に供すること」と、
　
　本願発明の「この更新情報書込手段にて更新情報および自動更新プログラムが書込まれた搬送可能な記憶媒体を前記病院情報管理システムにおける点数情報及び業務プログラムの更新に供すること」とは、
　
　「この更新情報書込手段にて更新情報が書込まれた搬送可能な記憶媒体を前記病院情報管理システムにおける業務プログラムの更新に供すること」で一致し、
　
・本願発明の「更新情報書込手段」は記憶媒体に「自動更新プログラム」も書込むのに対し、引用例発明の「更新情報書込手段」は記憶媒体に「自動更新プログラム」を書込まない点、
　
・本願発明では「病院情報管理システムにおける点数情報」の更新に供するのに対し、引用例発明では「病院情報管理システムにおける点数情報」の更新に供するのか不明である点、
　
　で相違する。
　
　
（７） 
　したがって、両者は、 
 　  
「病院に備えられた病院情報管理システムに組込まれたプログラムファイルに記憶された、各薬品や各診療行為に係る点数情報を用いた処理を含む業務プログラムの更新を支援する病院情報管理システムの情報更新装置において、
　前記更新情報を搬送可能な記憶媒体に書込む更新情報書込手段と、
　各薬品や各診療行為における更新点数に付随する更新業務プログラムを更新情報として記憶保持する更新情報記憶保持手段と、
　前記更新情報を搬送可能な記憶媒体に書込む更新情報書込手段とを有し、
　この更新情報書込手段にて更新情報が書込まれた搬送可能な記憶媒体を前記病院情報管理システムにおける業務プログラムの更新に供することを特徴とする病院情報管理システムの情報更新装置。」  
 　  
　である点で一致し、以下の相違点、すなわち、  
 　  
（相違点１）  
　
　本願発明では「病院情報管理システムにおける点数情報」の更新に供するのに対し、引用例発明では「病院情報管理システムにおける点数情報」の更新に供するのか不明である点、　
　
　そのため、
　
・本願発明の「更新情報」が「各薬品や各診療行為における更新点数」を含むのに対し、引用例発明の「更新情報」が「各薬品や各診療行為における更新点数」を含むのか不明である点、　
　
　及び
　
・本願発明の「病院に備えられた病院情報管理システム」が「点数ファイルに記憶された各薬品や各診療行為に係る点数情報」を備えているのに対し、引用例発明の「病院に備えられた病院情報管理システム」が「点数ファイルに記憶された各薬品や各診療行為に係る点数情報」を備えているのか不明である点、
　
　
（相違点２） 
　
　本願発明の「点数情報を用いた処理」が「患者に対する請求額算出処理」を含んでいるのに対し、引用例発明の「点数情報を用いた処理」が「患者に対する請求額算出処理」を含んでいるのか不明である点、
　
　
（相違点３）
　
　本願発明では「更新情報」を「外部から入力」しているのに対し、引用例発明では「更新情報」を「外部から入力」しているのか不明である点、
　
　
（相違点４）  
　
　本願発明が「この更新情報記憶保持手段に記憶保持された更新情報で、前記病院情報管理システムの点数ファイルに記憶された点数情報およびプログラムファイルに記憶された業務プログラムを前記病院情報管理システム側において自動更新するための自動更新プログラムを記憶する自動更新プログラムメモリ」を備えるのに対し、引用例発明では、当該「自動更新プログラムメモリ」を備えていない点、 
　
　そのため、
　
　本願発明の「更新情報書込手段」は記憶媒体に「自動更新プログラム」も書込むのに対し、引用例発明の「更新情報書込手段」は記憶媒体に「自動更新プログラム」を書込まない点、　  
 　  
 　  
　で相違する。
　
　
　
５．相違点の判断  
 　  
（１）相違点１について  
　
　引用例には「病院に備えられた病院情報管理システム」が「点数ファイルに記憶された各薬品や各診療行為に係る点数情報」を備えていることが明記されていないため、
　引用例発明の「病院に備えられた病院情報管理システム」が「点数ファイルに記憶された各薬品や各診療行為に係る点数情報」を備えているのか不明ではあるものの、
　 
・プログラムが取り扱うデータを、プログラムによって読み取り可能なデータファイルに記述しておくことは、（医療系か否かに依存しない）情報処理分野における周知技術であること、
　
・引用例の上記（ウ）の「・・・、法令改正により診療報酬点数の算定方法や診療報酬明細書の様式が改正される場合には、処理プログラムの変更が必要となる。」という記載、及び医療分野における診療報酬点数に関する技術常識を参酌すると、法令改正により診療報酬点数の算定方法が改正されるのであるから、診療報酬点数も更新対象となり得ることは明らかであること、
　
・実際、本出願当初明細書の【従来の技術】の欄に、
「　　【０００３】
　一般に、投薬，診療，検査は多岐に亘るので、病院情報管理システムにおいては、各投薬，診療，検査毎の点数を点数ファイルに記憶し、前記算出方法を含む各業務プログラムをプログラムファイルに記憶している。
　　　【０００４】
　そして、薬価基準や診療報酬の変更及び算出方法の変更が実施されたり、新たな薬や新たな診療方法が保険診療扱いになったり、健康保険法が改正された場合は、病院情報管理システムの点数ファイルに記憶されている点数やプログラムファイルに記憶されている業務プログラムを変更するようにしている。」
　と記載されているように、「投薬，診療，検査は多岐に亘るので、病院情報管理システムにおいては、各投薬，診療，検査毎の点数を点数ファイルに記憶し、前記算出方法を含む各業務プログラムをプログラムファイルに記憶している」ことが『一般』に行われ、法改正等が要因で、当該点数ファイルに記憶されている点数も更新対象となることは、審判請求人も自認していること、
　
　の３点を鑑みれば、引用例１発明において、引用例発明の「病院に備えられた病院情報管理システム」が「点数ファイルに記憶された各薬品や各診療行為に係る点数情報」を備える必要があることや、当該点数情報を法改正等の要因に基づいて更新する必要があることは明らかである。
　
　したがって、「病院情報管理システムにおける点数情報」の更新に供するべく、
　引用例発明の「病院に備えられた病院情報管理システム」が「点数ファイルに記憶された各薬品や各診療行為に係る点数情報」を備えるように構成したり、
　「各薬品や各診療行為における更新点数」も「更新情報」としたりすることは、
　当業者が容易に想到し得ることである。
　
 　 
（２）相違点２について  
　
 　引用例の上記（イ）の「・・・、一般に、病院等の医療機関で使用される医療事務用計算機は、固定ディスクを備え、その内部に、複数の処理プログラムを格納する処理プログラムファイルと、複数月に亙るデータ、通常、２ヶ月分の診療行為データを格納するデータファイルとを有している。」という記載、
　及び、
　引用例の上記（ウ）の「この種の事務用計算機は、健康保険法や国民健康保険法等種々の法令に基づいて事務処理をおこなうものであり、法令改正により診療報酬点数の算定方法や診療報酬明細書の様式が改正される場合には、処理プログラムの変更が必要となる。」という記載から、
　引用例発明の処理プログラムが、診療報酬明細書の作成処理という「患者に対する請求額算出処理」に関連する処理を行っている。
　
　しかも、医療機関において、診療報酬明細書の作成処理のほか、「患者に対する請求額算出処理」を情報処理装置によって行わしめることが好ましいことや、診療報酬明細書の作成処理や「患者に対する請求額算出処理」に「診療報酬点数」に関する情報が必要とされることは、技術常識である。
　
　したがって、医療機関における事務処理の円滑化に寄与すべく、引用例発明の「点数情報を用いた処理」として、「患者に対する請求額算出処理」を含ませることは、当業者が容易に想到し得ることである。
　
 　 
（３）相違点３について 
　
　引用例の上記（ウ）の「この種の事務用計算機は、健康保険法や国民健康保険法等種々の法令に基づいて事務処理をおこなうものであり、法令改正により診療報酬点数の算定方法や診療報酬明細書の様式が改正される場合には、処理プログラムの変更が必要となる。」という記載、
　及び、
　本出願当初明細書の【従来の技術】の欄にある、
「　　【０００３】
　一般に、投薬，診療，検査は多岐に亘るので、病院情報管理システムにおいては、各投薬，診療，検査毎の点数を点数ファイルに記憶し、前記算出方法を含む各業務プログラムをプログラムファイルに記憶している。
　　　【０００４】
　そして、薬価基準や診療報酬の変更及び算出方法の変更が実施されたり、新たな薬や新たな診療方法が保険診療扱いになったり、健康保険法が改正された場合は、病院情報管理システムの点数ファイルに記憶されている点数やプログラムファイルに記憶されている業務プログラムを変更するようにしている。」
　という記載、
　を待つまでも無く、「各薬品や各診療行為における更新点数」及び「これに付随する更新業務プログラム」からなる更新情報は、（国会における法改正等の）『医療機関外の要因』によって決定されるデータである。
　つまり、当該更新情報は「外部から入力」する必要があるデータであることは明らかである。
　
　したがって、引用例発明において、「更新情報」を「外部から入力」できるように構成することは、当業者が容易に想到し得ることである。
　
　
（４）相違点４について 　  
 　 
　情報処理装置に対して各種プログラムや各種データをインストール又はアップデートするために、インストール又はアップデートする各種プログラムや各種データと共に、インストーラー又はアップデーター（本願発明の「自動更新プログラム」に略対応）を記録媒体に格納することによって、インストール処理又はアップデート処理を簡便に行うことは、
　
・原査定の拒絶の理由に引用された、特開平０７−０６４７７１号公報、
　
・「特集　安定したシステムを作る　あなたのシステムフォルダを再点検　システムフォルダが危ない」日経ＭＡＣ，日経ＢＰ社，Ｎｏ．９，ｐ．１２８−ｐ．１３３（１９９３．１２．１５）
（特に、第１３１乃至１３２頁の「入手すると便利なアップデーターが続々登場」の欄及び「入手経路は３つ　販売店，ＢＢＳ，アップグレードセンター」の欄を参照）
　
　に例示されるような、情報処理分野における周知技術である。
　
　そして、病院に備えられた「病院情報管理システム」におけるインストール処理又はアップデート処理（例：点数ファイルに記憶された点数情報およびプログラムファイルに記憶された業務プログラムの更新）を簡便に行うことを阻害する要因が医療分野にはある、と考える特段の事情はないことを鑑みれば、
　病院情報管理システム側において自動更新するべく、
　引用例発明の「更新情報書込手段」によって、更新情報記憶保持手段に記憶保持された更新情報だけでなく「自動更新プログラム」も記憶媒体に書込めるように、
　引用例発明に対して、「この更新情報記憶保持手段に記憶保持された更新情報で、前記病院情報管理システムの点数ファイルに記憶された点数情報およびプログラムファイルに記憶された業務プログラムを前記病院情報管理システム側において自動更新するための自動更新プログラムを記憶する自動更新プログラムメモリ」を備えるように構成することは、
　当業者が容易に想到し得ることである。
　
　
 　 
６．むすび  
 　 
　したがって、本願発明は、引用例発明及び周知技術に基づいて、当業者が容易に発明をすることができたものであり、特許法第２９条第２項の規定により特許を受けることができないから、本願は拒絶されるべきものである。  
 　 
　よって、結論のとおり審決する。